(57)【要約】【課題】組み付け時の金属屑の発生を低減し、かつ組み付け作業性を向上させることができる部品組み付け構造を提供する。【解決手段】部品３から組み付け方向に延設された挿入片６と、機器本体２に形成された開口部５ｃの縁部から組み付け方向に延設されたガイド用舌片５ａと、ガイド用舌片５ａと対向する開口部５ｃの縁部から組み付け方向に延設されたガイド用舌片５ｂとを備え、ガイド用舌片５ａ，５ｂが、互いに離間する方向に折り曲がっており、開口部５ｃに挿入された挿入片６がガイド用舌片５ａ，５ｂの各基部の間に挟まれた状態で部品３が機器本体２に組み付けられる。【選択図】図４
2014154706.tif 000002
【特許請求の範囲】
【請求項１】
一方の部品を他方の部品に組み付ける部品組み付け構造において、
前記一方の部品から組み付け方向に延設された挿入片と、
前記他方の部品に形成された開口部の縁部から組み付け方向に延設された第１のガイド用舌片と、
前記第１のガイド用舌片と対向する前記開口部の縁部から組み付け方向に延設された第２のガイド用舌片とを備え、
前記第１および前記第２のガイド用舌片は、互いに離間する方向に折り曲がっており、
前記開口部に挿入した前記挿入片が前記第１および前記第２のガイド用舌片の各基部の間に挟まれた状態で前記一方の部品が前記他方の部品に組み付けられることを特徴とする部品組み付け構造。
【請求項２】
前記開口部における前記第１および前記第２のガイド用舌片の各基部間の寸法が、前記挿入片の厚さ寸法よりも小さいことを特徴とする請求項１記載の部品組み付け構造。
【請求項３】
前記他方の部品に設けられ、前記開口部に挿入された前記挿入片の先端部が嵌合される嵌合係合部を備えたことを特徴とする請求項１または請求項２記載の部品組み付け構造。
【請求項４】
前記開口部における前記第１および前記第２のガイド用舌片が対向する方向に直交する方向の縁部から組み付け方向に延設されて、前記第１および前記第２のガイド用舌片から離間する方向に折り曲がった第３のガイド用舌片を備えたことを特徴とする請求項１から請求項３のうちのいずれか１項記載の部品組み付け構造。
【発明の詳細な説明】
【技術分野】
【０００１】
この発明は、板金製の筐体部品に他の部品を組み付ける部品組み付け構造に関する。
【背景技術】
【０００２】
例えば、特許文献１には、開口部を有する板金製の筐体本体に、この筐体本体の開口部を密閉する板金製のパネルを組み付ける部品組み付け構造が開示されている。
この構造では、筐体本体とパネルの一方を構成する板金の縁部側を折り曲げて形成した差し込み片と、筐体本体とパネルの他方を構成する板金の縁部側を折り返して形成した嵌合片と、この嵌合片の折り返し部に設けられて差し込み片に対峙する嵌合穴とを備えており、差し込み片を嵌合穴に差し込んで嵌合片を差し込み片に弾性係合させている。
【先行技術文献】
【特許文献】
【０００３】
【特許文献１】特開２００２−２９９８４８号公報
【発明の概要】
【発明が解決しようとする課題】
【０００４】
特許文献１に代表される従来の技術では、差し込み片を嵌合穴に差し込んで嵌合する際に、板金の差し込み片のエッジと板金の嵌合穴の開口縁部のエッジが剥き出している。
このため、差し込み片のエッジが嵌合穴の開口縁部に擦れるか、嵌合穴のエッジが差し込み片に擦れた際に、板金のエッジ部分のバリなどが落ちて多量の金属屑が発生する可能性があるという課題があった。
また、特許文献１では、差し込み片を嵌合穴に差し込む方向にガイドがないため、組み付けの作業性が悪かった。
【０００５】
この発明は、上記のような課題を解決するためになされたもので、組み付け時の金属屑の発生を低減し、かつ組み付け作業性を向上させることができる部品組み付け構造を得ることを目的とする。
【課題を解決するための手段】
【０００６】
この発明に係る部品組み付け構造は、一方の部品を他方の部品に組み付ける部品組み付け構造において、一方の部品から組み付け方向に延設された挿入片と、他方の部品に形成された開口部の縁部から組み付け方向に延設された第１のガイド用舌片と、第１のガイド用舌片と対向する開口部の縁部から組み付け方向に延設された第２のガイド用舌片とを備え、第１および第２のガイド用舌片は、互いに離間する方向に折り曲がっており、開口部に挿入された挿入片が第１および第２のガイド用舌片の各基部の間に挟まれた状態で一方の部品が他方の部品に組み付けられることを特徴とする。
【発明の効果】
【０００７】
この発明によれば、組み付け時の金属屑の発生を低減し、かつ組み付け作業性を向上させることができるという効果がある。
【図面の簡単な説明】
【０００８】
【図１】この発明の部品組み付け構造を適用した電子機器を示す図である。
【図２】実施の形態１に係る部品組み付け構造を示す図である。
【図３】実施の形態１に係る部品組み付け構造の詳細を示す図である。
【図４】実施の形態１に係る部品組み付け構造における組み付け過程を示す図である。
【図５】従来の部品組み付け構造における組み付け過程を示す図である。
【図６】実施の形態１に係る部品組み付け構造における挿入片を示す図である。
【図７】実施の形態１に係る部品組み付け構造におけるガイド用舌片と挿入片との関係を示す図である。
【図８】この発明の実施の形態２に係る部品組み付け構造を示す図である。
【図９】この発明の実施の形態３に係る部品組み付け構造を示す図である。
【発明を実施するための形態】
【０００９】
実施の形態１．
図１は、この発明の部品組み付け構造を適用した電子機器を示す図であり、図１（ａ）は機器本体２と部品３の組み付け前の状態を前方から見た斜視図、図１（ｂ）は機器本体２と部品３の組み付け前の状態を後方から見た斜視図である。図１において、電子機器１は、例えばカーオーディオ機器やカーナビゲーション装置などの電子機器であり、機器本体２にパネルなどの部品３を組み付けて構成される。
機器本体２は、上下のケース部材２ａ，２ｂを組み合わせて構成される内部空間に内部部品が収納されている。ここでは、内部部品として、図１（ａ）に示すように、板金製のシャーシ４を用いた部品が収納されているものとする。
【００１０】
シャーシ４は、機器本体２における部品３を組み付ける側から露出しており、この発明に係る部品組み付け構造における受け側の構造５が形成されている。
受け側の構造５は、図１（ａ）に示すように部品３を組み付ける側のシャーシ４の両側にそれぞれ設けられている。また、部品３における機器本体２に組み付けられる側には、図１（ｂ）に示すように挿入片６がそれぞれ形成されている。部品３は、挿入片６を受け側の構造５に挿入することで機器本体２に組み付けられる。
【００１１】
図２は、実施の形態１に係る部品組み付け構造を示す図であり、受け側の構造５およびその周辺構成を示している。また、図３は、実施の形態１に係る部品組み付け構造の詳細を示す図であり、受け側の構造５の詳細を示している。図２に示すように、シャーシ４には、壁部４ｂ，４ｃが形成されている。壁部４ｂは、シャーシ４の部品３を組み付ける側の端辺部を、受け側の構造５を形成する部分を残して、底面４ａに対し垂直に折り曲げて構成される。また、上記端辺部における壁部４ｂとして折り曲げなかった部分を切り欠いて舌片を形成し、この舌片の先端部が底面４ａよりも下方になるように折り曲げることでガイド用舌片５ａが形成される。
【００１２】
壁部４ｃは、図２および図３（ａ）に示すようにシャーシ４の左右両側の端辺部を底面４ａに対して垂直に折り曲げて構成される。また、壁部４ｃには、図２および図３に示すように、部品３を組み付ける側の端部を、壁部４ｂに平行な方向に折り曲げて壁部４ｄが形成されている。この壁部４ｄには、図３（ｃ）に示すように、ガイド用舌片５ａに対向する位置にガイド用舌片５ｂが形成されている。ガイド用舌片５ｂは、壁部４ｄを切り欠いて形成され、ガイド用舌片５ａから離間する方向に折り曲がっている。
【００１３】
上述のように構成することで、図３（ｂ）に示すように、ガイド用舌片５ａ，５ｂの間に開口部５ｃが形成される。すなわち、ガイド用舌片５ａ，５ｂは、図３（ｃ）に示すように、開口部５ｃの互いに対向する縁部に形成され、図３（ｂ）に示すように開口部５ｃの縁部から延設されている。開口部５ｃは、図３（ｃ）に示すように、シャーシ４の底面４ａおよび壁部４ｂ，４ｃ，４ｄによって形成されており、壁部４ｂと壁部４ｄとの間が開放された開口部となる。なお、開口部５ｃとして一部が開放された開口部である場合を示したが、開放部分がない開口であってもよい。
【００１４】
図４は、実施の形態１に係る部品組み付け構造における組み付け過程を示す図であり、図４（ａ）は組み付け前の状態を示しており、図４（ｂ）は組み付け後の状態を示している。なお、図４では、受け側の構造５をガイド用舌片５ａ，５ｂが対向する方向に沿って切った断面で示している。図４（ａ）に示すように、部品３には、挿入片６が設けられている。挿入片６は、部品３の機器本体２への組み付け方向に延設された板状部材であり、開口部５ｃの横方向の寸法と同様の幅寸法を有している。
【００１５】
受け側の構造５における開口部５ｃに対して、図４（ａ）の矢印方向（組み付け方向）に挿入片６を挿入していく。このとき、互いに離間する方向に折り曲がったガイド用舌片５ａ，５ｂによって挿入片６が組み付け方向へ導かれる。
続いて、図４（ｂ）に示すように、挿入片６がガイド用舌片５ａの基部とガイド用舌片５ｂの基部との間に挟まれた状態となって、機器本体２に対する部品３の組み付け位置が決定される。この後、ねじ止めなどを施すことにより、機器本体２に対する部品３の組み付けが完了する。
【００１６】
なお、図１に示したように、部品３がパネルなどの大きな部品である場合には、部品３を機器本体２に組み付ける際に、作業者から組み付け部位が見えなくなる可能性がある。この場合であっても、この発明では、部品３から組み付け方向に延設された挿入片６が、ガイド用舌片５ａ，５ｂによって組み付け方向に導かれる。このため、組み付けを容易に行うことができ、組み付け作業性を向上させることができる。
【００１７】
図５は、従来の部品組み付け構造における組み付け過程を示す図であり、特許文献１に開示される構造の縦断面を示している。従来の構造では、図５（ａ）に示すように、板金製の筐体１００に設けた嵌合片１０１の嵌合穴１０１ａと差し込み片１０２とが、互いのエッジが剥き出しの状態で嵌合される。このため、図５（ｂ）に示す状態になるまでの間に、差し込み片１０２のエッジが嵌合穴１０１ａの開口縁部に擦れるか、嵌合穴１０１ａのエッジが差し込み片１０２に擦れることで、板金のエッジ部分に残っているバリなどが落ちて多量の金属屑が発生する可能性がある。
【００１８】
これに対して、この発明では、ガイド用舌片５ａ，５ｂが互いに離間する方向に折り曲がっているので、挿入片６を開口部５ｃに挿入する際にガイド用舌片５ａ，５ｂのエッジが挿入片６に当たって擦れることがなく、バリなどによる金属屑の発生を低減することができる。なお、図６に示すように、挿入片６に面打ちを施してバリが落ちた先端部６ａとすることで、さらに金属屑の発生を抑えることができる。また、挿入片６を樹脂で形成してもよく、この場合、金属屑の発生をほぼ完全に防ぐことができる。
【００１９】
また、開口部５ｃにおけるガイド用舌片５ａの基部とガイド用舌片５ｂの基部との間の寸法を挿入片６の厚さ寸法Ｂよりも小さくしてもよい。
図７は、実施の形態１に係る部品組み付け構造におけるガイド用舌片と挿入片との関係を示す図である。図７（ａ）は、部品組み付け構造における組み付け過程であり、受け側の構造５をガイド用舌片５ａ，５ｂが対向する方向に沿って切った断面で示している。また、図７（ｂ）は受け側の構造５の正面図である。
【００２０】
図７（ａ）に示すように、開口部５ｃにおけるガイド用舌片５ａの基部とガイド用舌片５ｂの基部との間の寸法Ａを、挿入片６の厚さ寸法Ｂよりも小さくしている。このようにすることで、ガイド用舌片５ｂの基部が挿入片６を押さえる荷重が大きくなり、挿入片６を、図７（ｂ）に示すように基準平面Ａ（シャーシ４の底面４ａ）に押さえ付けることができる。これにより、組み付け時の位置決めが容易になり、また、ガタがなくなるため、ラトル音の発生も防ぐことができる。
【００２１】
以上のように、この実施の形態１によれば、部品３から組み付け方向に延設された挿入片６と、機器本体２に形成された開口部５ｃの縁部から組み付け方向に延設されたガイド用舌片５ａと、ガイド用舌片５ａと対向する開口部５ｃの縁部から組み付け方向に延設されたガイド用舌片５ｂとを備え、ガイド用舌片５ａ，５ｂが、互いに離間する方向に折り曲がっており、開口部５ｃに挿入された挿入片６がガイド用舌片５ａ，５ｂの各基部の間に挟まれた状態で部品３が機器本体２に組み付けられる。
このように構成することで、開口部５ｃのエッジが挿入片６に擦れることがなく、組み付け時の金属屑の発生を低減することができる。さらに、ガイド用舌片５ａ，５ｂによって挿入片６が組み付け方向に導かれるため、組み付けが容易になり、組み付けの作業性を向上させることができる。
【００２２】
また、この実施の形態１によれば、開口部５ｃにおけるガイド用舌片５ａ，５ｂの基部との間の寸法Ａを挿入片６の厚さ寸法Ｂよりも小さくしている。
このようにすることで、ガイド用舌片５ｂの基部が挿入片６を押さる荷重が大きくなり、挿入片６をシャーシ４の底面４ａに押さえ付けることができる。これにより、組み付け時の位置決めが容易になり、また、ガタがなくなるため、ラトル音の発生も防ぐことができる。
【００２３】
実施の形態２．
図８は、この発明の実施の形態２に係る部品組み付け構造を示す図である。図８（ａ）は、実施の形態２における受け側の構造を縦方向に切った断面の斜視図、図８（ｂ）は、実施の形態２に係る部品組み付け構造における組み付け過程を示す断面図であり、図８（ｃ）は、実施の形態１に係る部品組み付け構造における不具合を説明する断面図である。
実施の形態２に係る受け側の構造５Ａにおいては、図８（ａ）に示すように開口部５ｃを介した組み付け方向のシャーシ４内に嵌合係合部５ｄが形成されている。
嵌合係合部５ｄは、シャーシ４の底面４ａに形成され、挿入片６の先端部が嵌合される開口部を有している。また、この開口部の縁部には、挿入片６の先端部を開口部側に導くガイド用舌片５ｅが形成されている。ガイド用舌片５ｅは、嵌合係合部５ｄの開口縁部から延設され、底面４ａから離間する方向に折れ曲がった舌片である。
【００２４】
挿入片６は、開口部５ｃに挿入していくと、ガイド用舌片５ａの基部とガイド用舌片５ｂの基部との間に挟まれる。このとき、挿入片６は、ガイド用舌片５ｂの基部からの荷重によってシャーシ４の底面４ａに押し付けられながらシャーシ４内に挿入される。
挿入片６が嵌合係合部５ｄに到達すると、挿入片６の先端部は、図８（ｂ）に示すようにガイド用舌片５ｅによって嵌合係合部５ｄの開口部に導かれて嵌合する。これにより、挿入片６は、ガイド用舌片５ａの基部とガイド用舌片５ｂの基部との間に挟まれた状態となり、かつ挿入片６の先端部が嵌合係合部５ｄの開口部に嵌合した状態で、機器本体２に対する部品３の組み付け位置が決定される。この後、ねじ止めなどを施すことにより、機器本体２に対する部品３の組み付けが完了する。
【００２５】
嵌合係合部５ｄがない場合、機器本体２に対する部品３の組み付けが完了する前に、部品３が下方にずれるか、機器本体２が上方にずれると、図８（ｃ）に示すように、挿入片６が、ガイド用舌片５ａ，５ｂの基部により挟まれた部分を中心に矢印方向に回転してしまう可能性がある。そこで、開口部５ｃに挿入した挿入片６の先端部を嵌合係合部５ｄに嵌合させることで、組み付けが完了する前に機器本体２と部品３の組み付け位置がずれることがなく、図８（ｃ）に示すような回転を防ぐことができる。
【００２６】
なお、図８に示した嵌合係合部５ｄは、挿入片６の先端部が嵌合される嵌合穴であったが、嵌合穴を構成する側壁の一方が開放された構造、すなわち開口方向から見てＬ字形の嵌合係合部であってもよい。このように構成しても、天面部および側壁部で作られる空間に挿入片６の先端部を嵌合係合させることができる。
【００２７】
以上のように、この実施の形態２によれば、機器本体２に設けられ、開口部５ｃに挿入された挿入片６の先端部が嵌合される嵌合係合部５ｄを備えている。このように構成することで、機器本体２に対する部品３の組み付けが完了する前に、機器本体２と部品３とがずれることを防止できる。
【００２８】
実施の形態３．
図９は、この発明の実施の形態３に係る部品組み付け構造を示す図である。図９（ａ）は、実施の形態３に係る受け側の構造の正面から見て右前方の斜視図、図９（ｂ）は、実施の形態３に係る受け側の構造の正面図、図９（ｃ）は、図９（ａ）の実施の形態３に係る受け側の構造の正面から見て左前方の斜視図である。実施の形態３に係る受け側の構造５Ｂにおいては、図９に示すように、開口部５ｃにおけるガイド用舌片５ａの基部とガイド用舌片５ｂの基部とが対向する方向に直交する方向の縁部にガイド用舌片５ｆが形成されている。
【００２９】
ガイド用舌片５ｆは、開口部５ｃにおけるガイド用舌片５ａの基部とガイド用舌片５ｂの基部とが対向する方向に直交する方向の縁部から延設されて、ガイド用舌片５ａ，５ｂから離間する方向に折り曲がった舌片である。図９に示す例では、ガイド用舌片５ｆが、シャーシ４の底面４ａの一部を切り欠いて開口部５ｃの開放された部分を塞ぐように立設された立ち壁部５ｇに形成されている。
【００３０】
挿入片６は、ガイド用舌片５ａ，５ｂ，５ｆによって開口部５ｃに導かれ、開口部５ｃに挿入された挿入片６は、ガイド用舌片５ａ，５ｂの各基部の間に挟まれた状態となる。
このように構成することで、挿入片６を開口部５ｃに挿入する際に、挿入片６が幅方向（横方向）にずれることを防止できる。
なお、図９では、壁部４ｂ側にガイド用舌片５ｆを設けた構造を示したが、壁部４ｃ側に同様なガイド用舌片を設けてもよい。
【００３１】
以上のように、この実施の形態３によれば、開口部５ｃにおけるガイド用舌片５ａ，５ｂの各基部が対向する方向に直交する方向の縁部から組み付け方向に延設され、ガイド用舌片５ａ，５ｂから離間する方向に折り曲がったガイド用舌片５ｆを備えている。
このようにすることで、挿入片６を開口部５ｃに挿入する際に、挿入方向に対して挿入片６が横方向にずれることを防止できる。
【００３２】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３３】
１  電子機器、２  機器本体、２ａ  上ケース部材、２ｂ  下ケース部材、３  部品、４  シャーシ、４ａ  底面、４ｂ〜４ｄ  壁部、５，５Ａ，５Ｂ  受け側の構造、５ａ，５ｂ，５ｅ，５ｆ  ガイド用舌片、５ｃ  開口部、５ｄ  嵌合係合部、５ｇ  立ち壁部、６  挿入片、６ａ  先端部。
【図１】
2014154706.tif 000003
【図２】
2014154706.tif 000004
【図３】
2014154706.tif 000005
【図４】
2014154706.tif 000006
【図５】
2014154706.tif 000007
【図６】
2014154706.tif 000008
【図７】
2014154706.tif 000009
【図８】
2014154706.tif 000010
【図９】
2014154706.tif 000011